(57)【要約】      （修正有）【課題】下側吸収性物品の肌当接側シート表面での不具合をなくしつつ、上側吸収性物品及び下側吸収性物品を互いに確実に固定する。【解決手段】ナプキン積層体Ｓは下側ナプキンＬ１と、下側ナプキンＬ１上に積層された上側ナプキンＵ１とを備える。上側ナプキンＵ１は、肌当接側シートＵ３、バックシートＵ４、及び吸収体Ｕ５を含む吸収性本体を備える。下側ナプキンＬ１は、肌当接側シートＬ３、バックシートＬ４、及び吸収体Ｌ５を含む吸収性本体と、下側ナプキンＬ１の使用時に衣類に固定されるフラップであって使用前には肌当接側シート上に重ねられているフラップと、フラップの外面に設けられた粘着剤Ｌ１１と、を備える。上側ナプキンＵ１のバックシートＵ４が下側ナプキンＬ１の粘着剤Ｌ１１を覆うように、上側ナプキンＵ１が下側ナプキンＬ１上に積層される。【選択図】図２
2011229663.tif 000002
【特許請求の範囲】
【請求項１】
下側吸収性物品と該下側吸収性物品上に積層された上側吸収性物品とを備え、上側吸収性物品が使用された後に下側吸収性物品から除去されて下側吸収性物品が使用される、吸収性物品積層体であって、
上側吸収性物品が、液透過性の肌当接側シート、外面に剥離処理が施された液不透過性の肌非当接側シート、及びこれら肌当接側シートと肌非当接側シートとの間に配置された吸収体を含む吸収性本体を備え、
下側吸収性物品が、液透過性の肌当接側シート、液不透過性の肌非当接側シート、及びこれら肌当接側シートと肌非当接側シートとの間に配置された吸収体を含む吸収性本体と、下側吸収性物品の使用時に衣類に固定されるフラップであって使用前には肌当接側シート上に重ねられているフラップと、該フラップの外面に設けられた粘着剤と、を備え、
上側吸収性物品の肌非当接側シートが下側吸収性物品の粘着剤を覆うように、上側吸収性物品が下側吸収性物品上に積層される、
吸収性物品積層体。
【請求項２】
下側吸収性物品が、下側吸収性物品の肌当接側シートの外面を覆うカバーシートを備え、該カバーシートの周縁領域が下側吸収性物品の吸収性本体に接合されると共に、該カバーシートの中央領域に、弱め線又は切断線からなる区画線により、フラップが区画される、請求項１に記載の吸収性物品積層体。
【請求項３】
上側吸収性物品の使用時に衣類に固定されるフラップが上側吸収性物品にも設けられる、請求項１又は２に記載の吸収性物品積層体。
【請求項４】
上側吸収性物品が、上側吸収性物品の肌当接側シートの外面を覆うカバーシートを備え、該カバーシートの周縁領域が上側吸収性物品の吸収性本体に接合されると共に、該カバーシートの中央領域に、弱め線又は切断線からなる区画線により、上側吸収性物品のフラップが区画されている、請求項３に記載の吸収性物品積層体。
【請求項５】
下側吸収性物品の肌非当接側シートの外面に下側吸収性物品を衣類に固定するための粘着剤が設けられる、請求項１から４までのいずれか一項に記載の吸収性物品積層体。
【発明の詳細な説明】
【技術分野】
【０００１】
本発明は吸収性物品積層体に関する。
【背景技術】
【０００２】
下側吸収性物品と下側吸収性物品上に積層された上側吸収性物品とを備え、上側吸収性物品が使用された後に下側吸収性物品から除去されて下側吸収性物品が使用される、吸収性物品積層体であって、上側吸収性物品及び下側吸収性物品がそれぞれ、液透過性の肌当接側シート、液不透過性の肌非当接側シート、及びこれら肌当接側シートと肌非当接側シートとの間に配置された吸収体を含む吸収性本体を備え、上側吸収性物品の肌非当接側シートの下面に粘着剤が適用されている、吸収性物品積層体が公知である（特許文献１参照）。すなわち、特許文献１では、上側吸収性物品の肌非当接側シートと下側吸収性物品の肌当接側シートとが粘着剤によって接合され、それによって上側吸収性物品及び下側吸収性物品が互いに固定される。
【０００３】
また、下側吸収性物品と下側吸収性物品上に積層された上側吸収性物品とを備え、上側吸収性物品が使用された後に下側吸収性物品から除去されて下側吸収性物品が使用される、吸収性物品積層体であって、上側吸収性物品及び下側吸収性物品の周縁部分をクリンプないし折り目によって互いに接合する吸収性物品積層体が公知である（特許文献２参照）。すなわち、特許文献２では、粘着剤を用いることなく、上側吸収性物品及び下側吸収性物品が互いに固定される。
【先行技術文献】
【特許文献】
【０００４】
【特許文献１】特許第２８２３３９４号公報
【特許文献２】特表２０００−５０４２５０号公報
【発明の概要】
【発明が解決しようとする課題】
【０００５】
しかしながら、特許文献１では、上側吸収性物品が下側吸収性物品から除去されたときに、下側吸収性物品の肌当接側シート表面に粘着剤が残るおそれがある。この場合、肌当接側シートの液透過性が低下し、又は装着者に肌トラブルが生ずるおそれがある。あるいは、下側吸収性物品の肌当接側シート表面から粘着剤が剥がれる際に、この肌当接側シート表面が損傷するおそれがある。
【０００６】
この点、特許文献２では、粘着剤が用いられないので、このような問題は生じない。しかしながら、クリンプは比較的剛性が高いので、上側吸収性物品又は下側吸収性物品の長手方向に延びるクリンプが装着者の鼠径部に当たって装着者が違和感を感ずるおそれがある。また、上側吸収性物品及び下側吸収性物品の中央部分では、上側吸収性物品及び下側吸収性物品は互いに接合されていないので、上側吸収性物品及び下側吸収性物品を互いに確実に固定するのは困難である。
【課題を解決するための手段】
【０００７】
本発明によれば、下側吸収性物品と該下側吸収性物品上に積層された上側吸収性物品とを備え、上側吸収性物品が使用された後に下側吸収性物品から除去されて下側吸収性物品が使用される、吸収性物品積層体であって、上側吸収性物品が、液透過性の肌当接側シート、外面に剥離処理が施された液不透過性の肌非当接側シート、及びこれら肌当接側シートと肌非当接側シートとの間に配置された吸収体を含む吸収性本体を備え、下側吸収性物品が、液透過性の肌当接側シート、液不透過性の肌非当接側シート、及びこれら肌当接側シートと肌非当接側シートとの間に配置された吸収体を含む吸収性本体と、下側吸収性物品の使用時に衣類に固定されるフラップであって使用前には肌当接側シート上に重ねられているフラップと、該フラップの外面に設けられた粘着剤と、を備え、上側吸収性物品の肌非当接側シートが下側吸収性物品の粘着剤を覆うように、上側吸収性物品が下側吸収性物品上に積層される、吸収性物品積層体が提供される。
【発明の効果】
【０００８】
下側吸収性物品の肌当接側シート表面での不具合をなくしつつ、上側吸収性物品及び下側吸収性物品を互いに確実に固定することができる。
【図面の簡単な説明】
【０００９】
【図１】ナプキン積層体の正面図である。
【図２】図１の線ＩＩ−ＩＩに沿ってみたナプキン積層体の概略横断面図である。
【図３】下側ナプキンの正面図である。
【図４】フラップを展開したナプキン積層体の正面図である。
【図５】使用状態を説明するためのナプキン積層体の概略横断面図である。
【図６】使用状態を説明するためのナプキン積層体の概略横断面図である。
【図７】カバーシートの別の実施例を示す、下側ナプキンの正面図である。
【図８】フラップに適用される粘着剤の適用パターンの別の実施例を示す、下側ナプキンの正面図である。
【図９】下側ナプキンの肌非当接側シートに適用される粘着剤の適用パターンの別の実施例を示す、下側ナプキンの背面図である。
【図１０】本発明による更に別の実施例を示す、ナプキン積層体の概略横断面図である。
【発明を実施するための形態】
【００１０】
図１及び図２は本発明を生理用ナプキン（単に「ナプキン」とも言う。）の積層体に適用した場合を示している。しかしながら、本発明をパンティーライナ、失禁パッドといった他の吸収性物品の積層体に適用することもできる。
【００１１】
図１及び図２を参照すると、本発明による実施例のナプキン積層体Ｓは、下側ナプキンＬ１と、下側ナプキンＬ１上に積層された上側ナプキンＵ１とを備える。
【００１２】
上側ナプキンＵ１及び下側ナプキンＬ１はそれぞれ吸収性本体Ｕ２，Ｌ２を具備する。これらの吸収性本体Ｕ２，Ｌ２はそれぞれ、液透過性の肌当接側シートＵ３，Ｌ３と、液不透過性の肌非当接側シートＵ４，Ｌ４と、これら肌当接側シートＵ３，Ｌ３と肌非当接側シートＵ４，Ｌ４との間にそれぞれ配置された液保持性の吸収体Ｕ５，Ｌ５とを具備する。肌当接側シートＵ３，Ｌ３及び肌非当接側シートＵ４，Ｌ４はほぼ同じ大きさであり、それぞれの周縁部分Ｕ２Ｐ，Ｌ２Ｐにおいてホットメルト接着剤、ヒートシール加工等により互いに接合される。また、下側ナプキンＬ１に向けられる上側ナプキンＵ１の肌非当接側シートＵ４の外面には、剥離処理が施されている。一方、使用時に下着のような衣類に向けられる下側ナプキンＬ１の肌非当接側シートＬ４の外面には、ナプキン積層体Ｓないし下側ナプキンＬ１を衣類に固定するための粘着剤Ｌ６が適用され、この粘着剤Ｌ６は剥離シート片Ｌ７によって覆われている。
【００１３】
なお、図面において、２Ｆ，２Ｂ，２Ｌ，２Ｒはナプキン積層体Ｓ、ナプキンＵ１，Ｌ１、又は吸収性本体Ｕ２，Ｌ２の前端縁、後端縁、左側縁、右側縁をそれぞれ示している。これらの場合の前後左右は装着者の身体の前後左右に対応している。
【００１４】
図１と共に図３を参照すると、使用時に装着者の肌に当接する肌当接側シートＵ３，Ｌ３の表面はそれぞれ、液不透過性のカバーシートＵ８，Ｌ８によって覆われている。これらのカバーシートＵ８，Ｌ８は吸収性本体Ｕ２，Ｌ２とほぼ同じ大きさであり、したがって肌当接側シートＵ３，Ｌ３のほぼ全面を覆っている。また、カバーシートＵ８，Ｌ８はその環状の周縁領域Ｕ８Ｐ，Ｌ８Ｐにおいてホットメルト接着剤、ヒートシール加工等により肌当接側シート３ないし吸収性本体２に接合される。これに対し、周縁領域Ｕ８Ｐ，Ｌ８Ｐ以外の領域である中央領域Ｕ８Ｃ，Ｌ８Ｃは肌当接側シートＵ３，Ｌ３に接合されない。
【００１５】
カバーシートＵ８，Ｌ８の中央領域Ｕ８Ｃ，Ｌ８Ｃにはそれぞれ、区画線Ｕ９，Ｌ９があらかじめ形成されており、これらの区画線Ｕ９，Ｌ９によって中央領域Ｕ８Ｃ，Ｌ８Ｃに、使用時に衣類に固定される少なくとも１つのフラップが区画ないし形成される。区画線Ｕ９，Ｌ９はそれぞれカバーシートＵ８，Ｌ８を完全に切断する切断線から構成される。なお、区画線Ｕ９，Ｌ９をミシン目のような弱め線から構成することもできる。
【００１６】
本発明による実施例では、区画線Ｕ９，Ｌ９はそれぞれ、前端縁２Ｆに向け拡開するＵ字状曲線部分Ｕ９Ｆ，Ｌ９Ｆと、後端縁２Ｂに向け拡開するＵ字状曲線部分Ｕ９Ｂ，Ｌ９Ｂと、カバーシートＵ８，Ｌ８のほぼ中央においてこれら曲線部分Ｕ９Ｆ，Ｌ９Ｆ，Ｕ９Ｂ，Ｌ９Ｂの頂点を互いに結ぶ直線部分Ｕ９Ｓ，Ｌ９Ｓとから構成される。その結果、中央領域Ｕ８Ｃ，Ｌ８Ｃにはそれぞれ、４つのフラップ、すなわち半長円状の前フラップＵ１０Ｆ，Ｌ１０Ｆ及び後フラップＵ１０Ｂ，Ｌ１０Ｂと、台形状の左フラップＵ１０Ｌ，Ｌ１０Ｌ及び右フラップＵ１０Ｒ，Ｌ１０Ｒとが区画される。ここで、前フラップＵ１０Ｆ，Ｌ１０Ｆ及び後フラップＵ１０Ｂ，Ｌ１０Ｂはそれぞれ互いに対照的に位置しており、左フラップＵ１０Ｌ，Ｌ１０Ｌ及び右フラップＵ１０Ｒ，Ｌ１０Ｒはそれぞれ互いに対称的に位置している。
【００１７】
この場合、区画線Ｕ９，Ｌ９は周縁領域Ｕ８Ｐ，Ｌ８Ｐまで到達しておらず、したがって区画線Ｕ９，Ｌ９の末端と周縁領域Ｕ８Ｐ，Ｌ８Ｐとの間に非切断領域Ｕ８Ｎ，Ｌ８Ｎがそれぞれ形成される。
【００１８】
フラップＵ１０Ｆ，Ｕ１０Ｂ，Ｕ１０Ｌ，Ｕ１０Ｒ，Ｌ１０Ｆ，Ｌ１０Ｂ，Ｌ１０Ｌ，Ｌ１０Ｒは使用前には、それぞれ対応する肌当接側シートＵ３，Ｌ３上に重ねられている。
【００１９】
これらフラップＵ１０Ｆ，Ｕ１０Ｂ，Ｕ１０Ｌ，Ｕ１０Ｒ，Ｌ１０Ｆ，Ｌ１０Ｂ，Ｌ１０Ｌ，Ｌ１０Ｒの外面には、使用時にそれぞれ対応するフラップを衣類に固定するための粘着剤Ｕ１１，Ｌ１１がそれぞれ適用されている。
【００２０】
その上で、上側ナプキンＵ１の粘着剤Ｕ１１は共通の剥離シート片１２によって覆われている。
【００２１】
これに対し、下側ナプキンＬ１の粘着剤Ｌ１１は上側ナプキンＵ１の肌非当接側シートＵ４によって覆われる。すなわち、上側ナプキンＵ１の肌非当接側シートＵ４が下側ナプキンＬ１の粘着剤Ｌ１１を覆うように上側ナプキンＵ１が下側ナプキンＬ１上に積層される。その結果、上側ナプキンＵ１及び下側ナプキンＬ１が粘着剤Ｌ１１によって互いに接合され、ナプキン積層体Ｓが形成される。
【００２２】
次に、各要素の素材について説明する。
【００２３】
肌当接側シートＵ３，Ｌ３は例えば有孔又は無孔の不織布や多孔性プラスチックシートから構成される。
【００２４】
肌非当接側シートＵ４，Ｌ４は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成される。
【００２５】
吸収体Ｕ５，Ｌ５は例えばフラッフ状パルプ又はエアレイド不織布と高吸収ポリマーとから構成される。ここで、フラッフ状パルプは例えば化学パルプ、セルロース繊維、レーヨン、アセテート等の人工セルロース繊維から構成され、エアレイド不織布は例えばパルプと合成繊維とを熱融着させ又はバインダーで固定させた不織布から構成され、高吸収ポリマーは例えばデンプン系、アクリル酸系、アミノ酸系の粒子状又は繊維状のポリマーから構成される。
【００２６】
粘着剤Ｕ６，Ｌ６，Ｕ１１，Ｌ１１は例えばスチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト粘着剤から構成される。
【００２７】
カバーシートＵ８，Ｌ８は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成され、好ましくは疎水性不織布から構成される。カバーシートＵ８，Ｌ８の坪量は１５ｇ／ｍ２から６０ｇ／ｍ２が好ましい。プラスチックフィルムから構成される場合には、プラスチックフィルムのドレープ性はカンチレバー法で２０ｍｍから１００ｍｍが好ましく、３０ｍｍから７０ｍｍが更に好ましい。ドレープ性が２０ｍｍよりも小さいと、カバーシートＵ８，Ｌ８が撚れ易くなるからである。一方、ドレープ性が１００ｍｍよりも大きいと、カバーシートＵ８，Ｌ８が硬くなるので、上側ナプキンＵ１及び下側ナプキンＬ１の使用感を悪化させるおそれがあり、衣類への追従性が低下して被吸収液が漏れるおそれがあるからである。
【００２８】
なお、上述のカンチレバー法はＪＩＳ−Ｌ１０１８に準じて次のように行われる。すなわち、長さ１５０ｍｍ、幅２５ｍｍの測定対象を５枚重ねて測定サンプルを得る。次いで、大栄科学精器製作所製のカンチレバーを用い、測定サンプルをカンチレバーの押さえ板下に挟み、斜面方向に滑らせ速度５ｍｍ／ｓｅｃで移動距離を自動測定する。測定サンプルの表面を下にした場合と、測定サンプルの裏面を下にした場合の両方について測定し、これらの平均を測定結果とする。
【００２９】
剥離シート片Ｌ７は例えば厚さ５μｍから５０μｍのポリプロピレン、ポリエステル、ポリエチレン、ポリビニルアルコール、不織布、紙、又はこれらの複合材料であって、その片面全体が剥離処理されたものから構成される。上側ナプキンＵ１の肌非当接側シートＵ４も剥離シート片Ｌ７と同様に構成することができる。ただし、肌非当接側シートとしての防漏機能及び使用感を考えると、肌非当接側シートＵ４を紙以外の材料から構成するのが好ましい。
【００３０】
この場合の剥離処理は例えば剥離処理剤の塗布又は剥離テープの貼付によって行われる。剥離処理剤又は剥離テープの剥離剤成分として、シリコーン樹脂系、フッソ樹脂系、又はオクタデシルイソシアネート系等のものが好ましい。特に、剥離処理として、剥離剤成分としてシリコーン樹脂系の剥離処理剤を用い、これを塗布して加熱乾燥するか、スプレーで吹きつけ薄い被膜を形成させるのが好ましい。剥離シート片Ｌ７のドレープ性はカンチレバー法で２０ｍｍから１００ｍｍ、特に３０ｍｍから７０ｍｍが好ましい。
【００３１】
さて、ナプキン積層体Ｓは次のようにして使用される。すなわち、まず、下側ナプキンＬ１の剥離シート片Ｌ７が取り外され、下側ナプキンＬ１ないしナプキン積層体Ｓが衣類に固定される。このとき上側ナプキンＵ１の肌当接側シートＵ３はカバーシートＵ８によって覆われているので、肌当接側シートＵ３が汚れるのが阻止されている。
【００３２】
次いで、上側ナプキンＵ１の剥離シート片Ｕ１２が取り外される。その結果、上側ナプキンＵ１に、互いに分離した４つのフラップＵ１０Ｆ，Ｕ１０Ｂ，Ｕ１０Ｌ，Ｕ１０Ｒが形成される。
【００３３】
次いで、図４に示されるように、これらフラップＵ１０Ｆ，Ｕ１０Ｂ，Ｕ１０Ｌ，Ｕ１０Ｒがそれぞれ拡げられる。すなわち、前フラップＵ１０Ｆは前端縁２Ｆに沿う前折り曲げ領域Ｕ１４Ｆにおいて折り曲げられて前方向に拡げられ、後フラップＵ１０Ｂは後端縁２Ｂに沿う後折り曲げ領域Ｕ１４Ｂにおいて折り曲げられて後方向に拡げられる。また、左フラップＵ１０Ｌは左側縁２Ｌに沿う左折り曲げ領域Ｕ１４Ｌにおいて折り曲げられて左方向に拡げられ、右フラップＵ１０Ｒは右側縁２Ｒに沿う右折り曲げ領域Ｕ１４Ｒにおいて折り曲げられて右方向に拡げられる。その結果、上側ナプキンＵ１の肌当接側シートＵ３が露出される。
【００３４】
次いで、フラップＵ１０Ｆ，Ｕ１０Ｂ，Ｕ１０Ｌ，Ｕ１０Ｒがそれぞれの粘着剤Ｕ１１を介し衣類に固定される。すなわち、前フラップＵ１０Ｆがナプキン積層体Ｓ前方の衣類の内面に固定され、後フラップＵ１０Ｂがナプキン積層体Ｓ後方の衣類の内面に固定される。また、図５に示されるように、左フラップＵ１０Ｌ及び右フラップＵ１０Ｒがナプキン積層体Ｓ下方の衣類Ｃの外面にそれぞれ固定される。
【００３５】
その結果、ナプキン積層体Ｓにさまざまな方向の外力が作用しても、ナプキン積層体Ｓのネジレや位置ズレを抑制することができる。すなわち、ナプキン積層体Ｓを衣類に確実に固定することができ、したがって被吸収液の漏れを抑制することができる。また、漏れに対する装着者の不安をなくすことができる。
【００３６】
また、上側ナプキンＵ１が粘着剤Ｌ１１によって下側ナプキンＬ１に固定されているので、上側ナプキンＵ１のネジレ等を抑制することもできる。
【００３７】
この場合、上側ナプキンＵ１及び下側ナプキンＬ１が粘着剤Ｌ１１によって互いに接合され、折り目等によって接合されないので、装着者に違和感を与えることなく、上側ナプキンＵ１を下側ナプキンＬ１に確実に固定することができる。また、フラップＵ１０Ｆ，Ｕ１０Ｂ，Ｕ１０Ｌ，Ｕ１０Ｒを固定するための粘着剤Ｌ１１によって上側ナプキンＵ１及び下側ナプキンＬ１が互いに接合されるので、上側ナプキンＵ１及び下側ナプキンＬ１を互いに接合するためだけに粘着剤を設ける必要がなくなる。更に、粘着剤Ｌ１１が上側ナプキンＵ１の肌非当接側シートＵ４によって覆われるので、粘着剤Ｌ１１を保護する剥離シート片を省略することができる。
【００３８】
更に、図５からわかるように、衣類Ｃに固定された上側ナプキンＵ１のフラップＵ１０Ｆ，Ｕ１０Ｂ，Ｕ１０Ｌ，Ｕ１０Ｒによって下側ナプキンＬ１が包囲されている。また、下側ナプキンＬ１にもカバーシートＬ８が設けられている。したがって、上側ナプキンＵ１が著しく汚れた場合であっても、下側ナプキンＬ１を清潔に保つことができる。
【００３９】
このようにして上側ナプキンＵ１の肌当接側シートＵ３が露出され、まず上側ナプキンＵ１が使用される。
【００４０】
上側ナプキンＵ１の使用後には、上側ナプキンＵ１が下側ナプキンＬ１から除去される。すなわち、フラップＵ１０Ｆ，Ｕ１０Ｂ，Ｕ１０Ｌ，Ｕ１０Ｒが衣類Ｃから取り外され、上側ナプキンＵ１が下側ナプキンＬ１ないしナプキン積層体Ｓから取り外される。
【００４１】
この場合、粘着剤Ｌ１１がカバーシートＬ８又はフラップＬ１０Ｆ，Ｌ１０Ｂ，Ｌ１０Ｌ，Ｌ１０Ｒに適用されており、すなわち下側ナプキンＬ１の肌当接側シートＬ３に粘着剤が適用されないので、下側ナプキンＬ１の肌当接側シートＬ３の表面に粘着剤が残ったり、肌当接側シートＬ３の表面が損傷したりするおそれがない。また、上側ナプキンＵ１を下側ナプキンＬ１から簡単に取り外すことができる。
【００４２】
更に、上側ナプキンＵ１のフラップＵ１０Ｆ，Ｕ１０Ｂ，Ｕ１０Ｌ，Ｕ１０Ｒを元に戻して肌当接側シートＵ３を覆うことによって、上側ナプキンＵ１の取り外し時に装着者が汚れるのを阻止することができる。
【００４３】
上側ナプキンＵ１が下側ナプキンＬ１から取り外されると、下側ナプキンＬ１に、互いに分離した４つのフラップＬ１０Ｆ，Ｌ１０Ｂ，Ｌ１０Ｌ，Ｌ１０Ｒが形成される。
【００４４】
次いで、上側ナプキンＵ１の場合と同様に、これらフラップＬ１０Ｆ，Ｌ１０Ｂ，Ｌ１０Ｌ，Ｌ１０Ｒが拡げられ、下側ナプキンＬ１の肌当接側シートＬ３が露出される。次いで、これらフラップＬ１０Ｆ，Ｌ１０Ｂ，Ｌ１０Ｌ，Ｌ１０Ｒが図６に示されるように衣類Ｃに固定される。次いで、下側ナプキンＬ１が使用される。
【００４５】
その結果、上側ナプキンＵ１の場合と同様に、下側ナプキンＬ１を衣類Ｃに確実に固定することができる。
【００４６】
このように、ナプキン積層体Ｓは複数のナプキンＵ１，Ｌ１を備えているので、装着者が外出時に携帯するナプキンの数を低減することができる。
【００４７】
また、ナプキン積層体Ｓによってナプキンの交換が簡単になる。すなわち、２枚のナプキンを使用する場合には、使用後のナプキンを衣類から取り外し、新しいナプキンを衣類に取り付ける必要がある。この場合、ナプキンの交換が薄暗いトイレ等で行われることを考えると、ナプキンの衣類に対する正確な位置決めは困難であるので、ナプキンの交換が煩雑になるおそれがある。これに対し、ナプキン積層体Ｓでは、ナプキン積層体Ｓを衣類Ｃに固定すれば、上側ナプキンＵ１を下側ナプキンＬ１から取り外すだけで、ナプキンの交換が終わるのである。したがって、ナプキンの交換に要する手間及び時間を飛躍的に低減することができる。
【００４８】
なお、周縁領域Ｕ８Ｐ，Ｌ８Ｐ（図１及び図３）の幅はそれぞれ、２ｍｍから１０ｍｍが好ましく、３ｍｍから５ｍｍが更に好ましい。周縁領域Ｕ８Ｐ，Ｌ８Ｐの幅が２ｍｍよりも狭いと、カバーシートＵ８，Ｌ８と吸収性本体Ｕ２，Ｌ２との接合強度が低下するからである。また、周縁領域Ｕ８Ｐ，Ｌ８Ｐの幅が１０ｍｍよりも広いと、フラップＵ１０Ｆ，Ｕ１０Ｂ，Ｕ１０Ｌ，Ｕ１０Ｒ，Ｌ１０Ｆ，Ｌ１０Ｂ，Ｌ１０Ｌ，Ｌ１０Ｒがそれぞれ拡げられたときに露出される肌当接側シートＵ３，Ｌ３の表面が狭くなるからである。すなわち、肌当接側シートが広く露出されると、上側ナプキンＵ１及び下側ナプキンＬ１の衣類Ｃに対する固定位置が適正位置から多少外れたとしても、被吸収液の漏れを抑制できる。
【００４９】
また、非切断領域Ｕ８Ｎ，Ｌ８Ｎ（図１及び図３）の大きさはそれぞれ、２ｍｍから１０ｍｍが好ましく、３ｍｍから５ｍｍが更に好ましい。上側ナプキンＵ１及び下側ナプキンＬ１の製造時に資材が蛇行した場合にも、吸収体Ｕ５，Ｌ５が周縁部分Ｕ２Ｐ，Ｌ２Ｐに位置しないようにするためである。
【００５０】
次に、カバーシートＵ８，Ｌ８の別の実施例を説明する。以下では、下側ナプキンＬ１のカバーシートＬ８について説明するが、上側ナプキンＵ１のカバーシートＵ８にも適用できる。
【００５１】
この別の実施例では、フラップＬ１０Ｆ，Ｌ１０Ｂ，Ｌ１０Ｌ，Ｌ１０Ｒのうち粘着剤１１周りの領域の剛性が他の領域の剛性よりも高く設定されている。
【００５２】
すなわち、図７（Ａ）に示される例では、粘着剤１１周りにエンボス加工が施されたエンボス領域Ｌ２０が設けられる。これに対し、残りの領域Ｌ２１にはエンボス加工が施されない。
【００５３】
一方、図７（Ｂ）に示される例では、粘着剤１１周りに追加シートＬ２２が接合される。これに対し、残りの領域Ｌ２１には追加シートＬ２２が接合されない。
【００５４】
このようにすると、フラップＬ１０Ｆ，Ｌ１０Ｂ，Ｌ１０Ｌ，Ｌ１０Ｒの取り扱いが容易になり、フラップを衣類に簡単に固定することができる。
【００５５】
ここで、フラップＬ１０Ｆ，Ｌ１０Ｂ，Ｌ１０Ｌ，Ｌ１０Ｒ全体に対するエンボス領域Ｌ２０又は追加シートＬ２２の占める割合は２０％以上が好ましく、４０％から１００％が特に好ましい。
【００５６】
なお、図７（Ａ）に示される例において、エンボス領域２０が凹凸パターンであると、フラップ１０Ｆ，１０Ｂと装着者身体との接触面積を低減できるので、ムレが防止され、装着感が向上される。また、フラップＬ１０Ｆ，Ｌ１０Ｂ，Ｌ１０Ｌ，Ｌ１０Ｒに粘着剤１１を接合する場合のホットメルト接着剤の転写性に優れている。
【００５７】
一方、図７（Ｂ）に示される例において、追加シートＬ２２はカバーシートＬ８と同じ素材でもよいし、他の素材でもよい。更に、追加シートＬ２２をカバーシートＬ８の裏面に接合してもよい。追加シートＬ２２の接合にはホットメルト接着剤等が用いられる。区画線Ｌ９は追加シートＬ２２がカバーシートＬ８に接合された後に形成され、したがって追加シートＬ２２にも形成されている。
【００５８】
次に、カバーシートＵ８，Ｌ８に適用される粘着剤Ｕ１１，Ｌ１１の適用パターンの別の実施例を説明する。以下では、下側ナプキンＬ１のカバーシートＬ８について説明するが、上側ナプキンＵ１のカバーシートＵ８にも適用できる。
【００５９】
図８（Ａ）に示される例では、各粘着剤Ｌ１１は下側ナプキンＬ１の長手方向に延びる複数の帯状部分から構成される。これに対し、図８（Ｂ）に示される例では、各粘着剤Ｌ１１は下側ナプキンＬ１横方向に延びる複数の帯状部分から構成される。
【００６０】
次に、下側ナプキンＬ１の肌非当接側シートＬ４に適用される粘着剤Ｌ６の適用パターンの別の実施例を説明する。
【００６１】
図９（Ａ）に示される例では、各粘着剤Ｌ６は下側ナプキンＬ１の長手方向に延びる複数の帯状部分から構成される。これに対し、図９（Ｂ）に示される例では、各粘着剤Ｌ６は下側ナプキンＬ１横方向に延びる複数の帯状部分から構成される。
【００６２】
上述の実施例では、上側ナプキンＵ１はカバーシートＵ８を備え、したがってフラップＵ１０Ｆ，Ｕ１０Ｂ，Ｕ１０Ｌ，Ｕ１０Ｒを備えている。しかしながら、図１０に示されるように、上側ナプキンＵ１はカバーシート又はフラップを備えていなくてもよい。
【００６３】
また、上述の実施例では、カバーシートＵ８，Ｌ８に４つのフラップが区画されるように区画線Ｕ９，Ｌ９が形成される。しかしながら、フラップの数はどのように設定してもよい。
【００６４】
更に、ナプキン積層体Ｓは、互いに積層された３つ以上のナプキンを備えていてもよい。すなわち、例えば追加のナプキンが上側ナプキンＵ１上に積層され、追加のナプキン及び上側ナプキンＵ１は粘着剤Ｕ１１によって互いに接合される。この場合、剥離シート片Ｕ１２は省略される。
【符号の説明】
【００６５】
Ｓ    ナプキン積層体
Ｕ１    上側ナプキン
Ｌ１    下側ナプキン
Ｕ２，Ｌ２    吸収性本体
Ｕ３，Ｌ３    肌当接側シート
Ｕ４，Ｌ４    肌非当接側シート
Ｕ５，Ｌ５    吸収体
Ｕ８，Ｌ８    カバーシート
Ｕ９，Ｌ９    区画線
Ｕ１０Ｆ，Ｕ１０Ｂ，Ｕ１０Ｌ，Ｕ１０Ｒ，Ｌ１０Ｆ，Ｌ１０Ｂ，Ｌ１０Ｌ，Ｌ１０Ｒ    フラップ
Ｕ１１，Ｌ１１    粘着剤
【図１】
2011229663.tif 000003
【図２】
2011229663.tif 000004
【図３】
2011229663.tif 000005
【図４】
2011229663.tif 000006
【図５】
2011229663.tif 000007
【図６】
2011229663.tif 000008
【図７】
2011229663.tif 000009
【図８】
2011229663.tif 000010
【図９】
2011229663.tif 000011
【図１０】
2011229663.tif 000012